(57)【要約】      （修正有）【課題】本体部材を一方の部材に取り付けると共に掛け部材を他方の部材に取り付け、一方の部材に掛け部材を重合し、ボルト体を回動して開口切欠溝部を介して掛け部材の開口切欠溝部内に通過配置し、ナット体を締付回動することによりナット体が圧接面部を圧接し、本体部材と掛け部材とを連結することができ、一方の部材と他方の部材とを連結することができる二部材連結具及び二部材連結構造を提供する。【解決手段】一方の部材Ｋに取り付けられる本体部材１と、他方の部材Ｌに取り付けられる掛け部材２とからなり、本体部材にボルト体３が枢着軸４により回動自在に枢着され、かつ、本体部材にボルト体が通過可能な開口切欠溝部５が形成され、ボルト体にナット体６が螺着され、掛け部材にボルト体が通過可能な開口切欠溝部８が形成され、かつ、掛け部材にナット体が圧接する圧接面部９が形成されている。【選択図】図１
0003109150.tif 000002
【実用新案登録請求の範囲】
【請求項１】
二つの部材を着脱自在に連結する連結具であって、一方の部材に取り付けられる本体部材と、他方の部材に取り付けられる掛け部材とからなり、上記本体部材にボルト体が枢着軸により回動自在に枢着され、かつ、該本体部材に該ボルト体が通過可能な開口切欠溝部が形成され、該ボルト体にナット体が螺着され、上記掛け部材に該ボルト体が通過可能な開口切欠溝部が形成され、かつ、該掛け部材に上記ナット体が圧接する圧接面部が形成されていることを特徴とする二部材連結具。
【請求項２】
上記ボルト体に座金体を挿通配置し、上記圧接面部に該座金体が嵌合する嵌合座部が形成されていることを特徴とする請求項１記載の二部材連結具。
【請求項３】
上記各開口切欠部は平面略Ｕ状に形成されていることを特徴とする請求項１又は２記載の二部材連結具。
【請求項４】
上記本体部材及び掛け部材は上記各部材に溶接により取り付けられていることを特徴とする請求項１〜３のいずれか１項に記載の二部材連結具。
【請求項５】
二つの部材を着脱自在に連結するための連結構造であって、一方の部材に取り付けられる本体部材と、他方の部材に取り付けられる掛け部材とからなり、上記本体部材にボルト体が枢着軸により回動自在に枢着され、かつ、該本体部材に該ボルト体が通過可能な開口切欠溝部が形成され、該ボルト体にナット体が螺着され、上記掛け部材に該ボルト体が通過可能な開口切欠溝部が形成され、かつ、該掛け部材に上記ナット体が圧接する圧接面部が形成されていることを特徴とする二部材連結構造。
【考案の詳細な説明】
【技術分野】
【０００１】
本考案は例えば密閉容器体の蓋と容器体との連結に用いられる二部材連結具及び二部材連結構造に関するものである。
【背景技術】
【０００２】
従来、この種の二部材連結具及び二部材連結構造として、一方の部材及び他方の部材にそれぞれＬ型突片を取り付け、この一対のＬ型突片にそれぞれボルト嵌通穴を形成し、ボルト嵌通穴にボルトを挿通し、ボルトにナットを螺着することにより二つの部材を着脱自在に連結するものが知られている。
【特許文献１】特開２００３−３３８６９２号公報
【考案の開示】
【考案が解決しようとする課題】
【０００３】
しかしながら上記従来構造の場合、上記一対のＬ型突片のボルト嵌通穴に対するボルトの挿脱が厄介であり、ナットの取り外しも相俟って着脱作業性が劣ることがあるという不都合を有している。
【課題を解決するための手段】
【０００４】
本考案はこれらの不都合を解決することを目的とするもので、本考案のうちで、請求項１記載の考案は、二つの部材を着脱自在に連結する連結具であって、一方の部材に取り付けられる本体部材と、他方の部材に取り付けられる掛け部材とからなり、上記本体部材にボルト体が枢着軸により回動自在に枢着され、かつ、該本体部材に該ボルト体が通過可能な開口切欠溝部が形成され、該ボルト体にナット体が螺着され、上記掛け部材に該ボルト体が通過可能な開口切欠溝部が形成され、かつ、該掛け部材に上記ナット体が圧接する圧接面部が形成されていることを特徴とする二部材連結具にある。
【０００５】
又、請求項２記載の考案は、上記ボルト体に座金体を挿通配置し、上記圧接面部に該座金体が嵌合する嵌合座部が形成されていることを特徴とするものであり、又、請求項３記載の考案は、上記各開口切欠部は平面略Ｕ状に形成されていることを特徴とするものであり、又、請求項４記載の考案は、上記本体部材及び掛け部材は上記各部材に溶接により取り付けられていることを特徴とするものである。
【０００６】
又、請求項５記載の考案は、二つの部材を着脱自在に連結するための連結構造であって、一方の部材に取り付けられる本体部材と、他方の部材に取り付けられる掛け部材とからなり、上記本体部材にボルト体が枢着軸により回動自在に枢着され、かつ、該本体部材に該ボルト体が通過可能な開口切欠溝部が形成され、該ボルト体にナット体が螺着され、上記掛け部材に該ボルト体が通過可能な開口切欠溝部が形成され、かつ、該掛け部材に上記ナット体が圧接する圧接面部が形成されていることを特徴とする二部材連結構造にある。
【考案の効果】
【０００７】
本考案は上述の如く、請求項１記載又は５記載の考案にあっては、本体部材を一方の部材に取り付けると共に掛け部材を他方の部材に取り付け、一方の部材に掛け部材を重合し、ボルト体を回動して開口切欠溝部を介して掛け部材の開口切欠溝部内に通過配置し、ナット体を締付回動することによりナット体が圧接面部を圧接し、本体部材と掛け部材とを連結することができ、一方の部材と他方の部材とを連結することができ、又、ナット体を弛緩回動し、ボルト体を逆回動して開口切欠溝部から掛け部材を離脱させることにより本体部材と掛け部材とを離脱し、一方の部材と他方の部材とを離反させることができ、ボルト体の回動及びナット体の回動により一方の部材と他方の部材とを着脱することができ、一方の部材と他方の部材との着脱を容易に行うことができると共に構造を簡素化することができる。
【０００８】
又、請求項２記載の考案にあっては、上記ボルト体に座金体を挿通配置し、圧接面部に座金体が嵌合する嵌合座部が形成されているから、ナット体により確実に連結することができ、又、請求項３記載の考案にあっては、上記各開口切欠部は平面略Ｕ状に形成されているから、ボルト体の回動を容易に行うことができ、又、請求項４記載の考案にあっては、上記本体部材及び掛け部材は上記各部材に溶接により取り付けられているから、本体部材及び掛け部材の取付強度を高めることができる。
【考案を実施するための最良の形態】
【０００９】
図１乃至図８は本考案の実施の形態例を示し、図１乃至図７は第一形態例、図８は第二形態例である。
【００１０】
図１乃至図７の第一形態例においては、この場合、一方の部材Ｌである容器体と、他方の部材Ｋである蓋体とを着脱自在に連結するための連結具Ｆに適用されている。
【００１１】
この場合、１は本体部材、２は掛け部材であって、この本体部材１は一方の部材Ｌに溶接により取り付けられ、掛け部材２は他方の部材Ｋに溶接により取り付けられる構造となっている。
【００１２】
この場合、上記本体部材１に枢着軸４が止め輪４ａにより枢着され、枢着軸４にボルト体３の基部が枢着軸４により回動自在に枢着され、かつ、本体部材１にボルト体３が通過可能な平面略Ｕ状の開口切欠溝部５が形成され、ボルト体３にナット体６が螺着され、かつ、ボルト体３に座金体７を挿通配置されている。
【００１３】
又、この場合、上記掛け部材２にボルト体３が通過可能な平面略Ｕ状の開口切欠溝部８が形成され、掛け部材２に上記ナット体６が圧接する圧接面部９が形成され、圧接面部９に座金体７が嵌合する嵌合座部１０が形成されている。
【００１４】
この実施の第一形態例は上記構成であるから、図４、図５の如く、本体部材１を一方の部材Ｌに溶接により取り付けると共に掛け部材２を他方の部材Ｋに取り付け、一方の部材Ｌに掛け部材２を重合し、図７の如く、ボルト体３を回動して開口切欠溝部５を介して掛け部材２の開口切欠溝部８内に通過配置し、ナット体６を締付回動することによりナット体６が圧接面部９を圧接し、本体部材１と掛け部材２とを連結することができ、一方の部材Ｌと他方の部材Ｋとを連結することができ、又、図７の状態で、ナット体６を弛緩回動し、ボルト体３を逆回動して開口切欠溝部５から掛け部材２を離脱させることにより本体部材１と掛け部材２とを離脱し、図５の如く、一方の部材Ｌと他方の部材Ｋとを離反させることができ、ボルト体３の回動及びナット体６の回動により一方の部材Ｌと他方の部材Ｋとを着脱することができ、一方の部材Ｌと他方の部材Ｋとの着脱を容易に行うことができると共に構造を簡素化することができる。
【００１５】
又、この場合、上記ボルト体３に座金体７を挿通配置し、圧接面部９に座金体７が嵌合する嵌合座部１０が形成されているから、ナット体６により確実に連結することができ、又、この場合、上記各開口切欠部５・８は平面略Ｕ状に形成されているから、ボルト体３の回動を容易に行うことができ、又、この場合、上記本体部材１及び掛け部材２は上記各部材Ｌ・Ｋに溶接により取り付けられているから、本体部材１及び掛け部材２の取付強度を高めることができる。
【００１６】
図８の第二形態例は別例構造を示し、この場合、上記ナット体６を吊上用のアイナットとして構成したものである。
【００１７】
この第二形態例にあっても、上記第一形態例と同様な作用効果を得ることができる。
【００１８】
尚、本考案は上記実施の形態例に限られるものではなく、本体部材１、掛け部材２の形態や構造等は適宜変更して設計され、また、ナット体６は吊上用のアイナットが用いられこともある。
【００１９】
以上、所期の目的を充分達成することができる。
【図面の簡単な説明】
【００２０】
【図１】本考案の実施の第一形態例の分解斜視図である。
【図２】本考案の実施の第一形態例の全体斜視図である。
【図３】本考案の実施の第一形態例の全体断面図である。
【図４】本考案の実施の形態例の使用状態の分離斜視図である。
【図５】本考案の実施の第一形態例の使用状態の分離断面図である。
【図６】本考案の実施の第一形態例の使用状態の全体斜視図である。
【図７】本考案の実施の第一形態例の使用状態の断面図である。
【図８】本考案の実施の第二形態例の全体斜視図である。
【符号の説明】
【００２１】
Ｌ    部材
Ｋ    部材
１    本体部材
２    掛け部材
３    ボルト体
４    枢着軸
５    開口切欠溝部
６    ナット体
７    座金体
８    開口切欠溝部
９    圧接面部
１０    嵌合座部
【図１】
0003109150.tif 000003
【図２】
0003109150.tif 000004
【図３】
0003109150.tif 000005
【図４】
0003109150.tif 000006
【図５】
0003109150.tif 000007
【図６】
0003109150.tif 000008
【図７】
0003109150.tif 000009
【図８】
0003109150.tif 000010